(57)【要約】【課題】    本発明の目的は、空き部屋のトイレからの臭いを防ぐようにした空き部屋トイレの消臭方法及び空き部屋トイレを提供するものである。【解決手段】    空き部屋トイレの消臭方法は、液体を吸収していない吸水性樹脂粒状物２と、内部に吸水性樹脂粒状物２を複数閉じ込めた柔軟性を有する通気性の袋体１とを備え、この袋体１を空き部屋のトイレＴのトラップ水（溜まり水）９に滴下し、前記滴下前又は前記滴下後、トラップ水（溜まり水）９に消臭剤１０を落とし、滴下された柔軟性を有する袋体１内の液体を吸収していない前記吸水性樹脂粒状物２は前記トラップ水（溜まり水）９及び消臭剤１０を吸収してトイレＴの排水口６を閉じるようにするものである。【選択図】図３
2020178951.tif 000002
【特許請求の範囲】
【請求項１】
液体を吸収していない吸水性樹脂粒状物と、内部に前記吸水性樹脂粒状物を複数閉じ込めた柔軟性を有する通気性の袋体とを備え、
この袋体を空き部屋のトイレのトラップ水（溜まり水）に滴下し、前記滴下前又は前記滴下後又は前記滴下と同時に、前記トラップ水（溜まり水）に消臭剤を落とし、滴下された柔軟性を有する前記袋体内の液体を吸収していない前記吸水性樹脂粒状物は前記トラップ水（溜まり水）及び前記消臭剤を吸収して前記トイレの排水口を閉じるようにする
ことを特徴とする空き部屋トイレの消臭方法。
【請求項２】
液体を吸収していない吸水性樹脂粒状物と、内部に前記吸水性樹脂粒状物を複数閉じ込めた柔軟性を有する通気性の袋体とを備え、
この袋体を空き部屋のトイレのトラップ水（溜まり水）に滴下し、滴下された柔軟性を有する前記袋体内の液体を吸収していない前記吸水性樹脂粒状物は前記トラップ水（溜まり水）を吸収して前記トイレの排水口を閉じるようにする
ことを特徴とする空き部屋トイレの消臭方法。
【請求項３】
袋体は紐の一端に接続され、前記紐の他端又は前記紐の中途を便器本体、又は、便器の蓋に接続されている
ことを特徴とする請求項１又は請求項２記載の空き部屋トイレの消臭方法。  
【請求項４】
液体を吸収していない吸水性樹脂粒状物と、内部に前記吸水性樹脂粒状物を複数閉じ込めた柔軟性を有する通気性の袋体とを備え、
この袋体を空き部屋のトイレのトラップ水（溜まり水）に滴下し、前記滴下前又は前記滴下後、前記トラップ水（溜まり水）に消臭剤を落とし、滴下された柔軟性を有する前記袋体内の液体を吸収していない前記吸水性樹脂粒状物は前記トラップ水（溜まり水）及び前記消臭剤を吸収して前記トイレの排水口を閉じるようにする
ことを特徴とする空き部屋トイレ。  
【請求項５】
液体を吸収していない吸水性樹脂粒状物と、内部に前記吸水性樹脂粒状物を複数閉じ込めた柔軟性を有する通気性の袋体とを備え、
この袋体を空き部屋のトイレのトラップ水（溜まり水）に滴下し、滴下された柔軟性を有する前記袋体内の液体を吸収していない前記吸水性樹脂粒状物は前記トラップ水（溜まり水）を吸収して前記トイレの排水口を閉じるようにする
ことを特徴とする空き部屋トイレ。    
【請求項６】
袋体は紐の一端に接続され、前記紐の他端又は前記紐の中途を便器本体、又は、便器の蓋に接続されている
ことを特徴とする請求項４又は請求項５記載の空き部屋トイレ。
【発明の詳細な説明】
【技術分野】
【０００１】
本発明は、空き部屋トイレの消臭方法及び空き部屋トイレに係り、特に、空き部屋のトイレからの臭いを防ぐようにした空き部屋トイレの消臭方法及び空き部屋トイレに関する。
【背景技術】
【０００２】
従来、空き部屋のトイレにトラップ水（溜まり水）を設けることにより、下水管とトイレ内を遮断し、所謂「水蓋」により、臭気が上がってくるのを防ぐようにしている。
【発明の概要】
【発明が解決しようとする課題】
【０００３】
ところが、空き部屋が長期に亘ると、空き部屋のトイレのトラップ水（溜まり水）が蒸発し、上記「水蓋」が消失するため、下水管からの臭気が空き部屋のトイレ内に漂うという問題点があった。
【０００４】
本発明は、上記問題点を考慮してなされたもので、空き部屋のトイレからの臭いを防ぐようにした空き部屋トイレの消臭方法及び空き部屋トイレを提供することを目的とする。
【課題を解決するための手段】
【０００５】
請求項１記載の空き部屋トイレの消臭方法は、液体を吸収していない吸水性樹脂粒状物と、内部に前記吸水性樹脂粒状物を複数閉じ込めた柔軟性を有する通気性の袋体とを備え、この袋体を空き部屋のトイレのトラップ水（溜まり水）に滴下し、前記滴下前又は前記滴下後又は前記滴下と同時に、前記トラップ水（溜まり水）に消臭剤を落とし、滴下された柔軟性を有する前記袋体内の液体を吸収していない前記吸水性樹脂粒状物は前記トラップ水（溜まり水）及び前記消臭剤を吸収して前記トイレの排水口を閉じるようにするものである。
【０００６】
また、請求項２記載の空き部屋トイレの消臭方法は、液体を吸収していない吸水性樹脂粒状物と、内部に前記吸水性樹脂粒状物を複数閉じ込めた柔軟性を有する通気性の袋体とを備え、この袋体を空き部屋のトイレのトラップ水（溜まり水）に滴下し、滴下された柔軟性を有する前記袋体内の液体を吸収していない前記吸水性樹脂粒状物は前記トラップ水（溜まり水）を吸収して前記トイレの排水口を閉じるようにするものである。
【０００７】
また、請求項３記載の空き部屋トイレの消臭方法は、請求項１又は請求項２記載の空き部屋トイレの消臭方法において、袋体は紐の一端に接続され、前記紐の他端又は前記紐の中途を便器本体、又は、便器の蓋に接続されているものである。
【０００８】
また、請求項４記載の空き部屋トイレは、液体を吸収していない吸水性樹脂粒状物と、内部に前記吸水性樹脂粒状物を複数閉じ込めた柔軟性を有する通気性の袋体とを備え、この袋体を空き部屋のトイレのトラップ水（溜まり水）に滴下し、前記滴下前又は前記滴下後、前記トラップ水（溜まり水）に消臭剤を落とし、滴下された柔軟性を有する前記袋体内の液体を吸収していない前記吸水性樹脂粒状物は前記トラップ水（溜まり水）及び前記消臭剤を吸収して前記トイレの排水口を閉じるようにするものである。
【０００９】
また、請求項５記載の空き部屋トイレは、液体を吸収していない吸水性樹脂粒状物と、内部に前記吸水性樹脂粒状物を複数閉じ込めた柔軟性を有する通気性の袋体とを備え、この袋体を空き部屋のトイレのトラップ水（溜まり水）に滴下し、滴下された柔軟性を有する前記袋体内の液体を吸収していない前記吸水性樹脂粒状物は前記トラップ水（溜まり水）を吸収して前記トイレの排水口を閉じるようにするものである。
【００１０】
また、請求項６記載の空き部屋トイレは、請求項４又は請求項５記載の空き部屋トイレにおいて、袋体は紐の一端に接続され、前記紐の他端又は前記紐の中途を便器本体、又は、便器の蓋に接続されているものである。
【発明の効果】
【００１１】
請求項１記載の空き部屋トイレの消臭方法によれば、液体を吸収していない吸水性樹脂粒状物と、内部に前記吸水性樹脂粒状物を複数閉じ込めた柔軟性を有する通気性の袋体とを備え、この袋体を空き部屋のトイレのトラップ水（溜まり水）に滴下し、前記滴下前又は前記滴下後又は前記滴下と同時に、前記トラップ水（溜まり水）に消臭剤を落とし、滴下された柔軟性を有する前記袋体内の液体を吸収していない前記吸水性樹脂粒状物は前記トラップ水（溜まり水）及び前記消臭剤を吸収して前記トイレの排水口を閉じるようにするため、トイレのトラップ水（溜まり水）及び消臭剤は、吸収していない吸水性樹脂粒状物に吸収され、蒸発しにくくなると共に、空き部屋のトイレのトラップ水（溜まり水）を吸収した吸水性樹脂粒状物により前記トイレの排水口を閉じて、空き部屋のトイレからの臭いを防ぐと共に、消臭剤によりトイレの消臭効果をも発揮させることができる。
【００１２】
また、請求項２記載の空き部屋トイレの消臭方法によれば、液体を吸収していない吸水性樹脂粒状物と、内部に前記吸水性樹脂粒状物を複数閉じ込めた柔軟性を有する通気性の袋体とを備え、この袋体を空き部屋のトイレのトラップ水（溜まり水）に滴下し、滴下された柔軟性を有する前記袋体内の液体を吸収していない前記吸水性樹脂粒状物は前記トラップ水（溜まり水）を吸収して前記トイレの排水口を閉じるようにするため、トイレのトラップ水（溜まり水）は、液体を吸収していない吸水性樹脂粒状物に吸収され、蒸発しにくくなると共に、空き部屋のトイレのトラップ水（溜まり水）を吸収した吸水性樹脂粒状物により前記トイレの排水口を閉じて、空き部屋のトイレからの臭いを防ぐことができる。
【００１３】
また、請求項３記載の部屋の空き部屋トイレの消臭方法によれば、上述した請求項１又は請求項２記載の発明の効果に加え、誤って、トイレの水を流しても、袋体は紐により接続されているため、便器内に保持することができる。
【００１４】
また、請求項４記載の空き部屋トイレによれば、液体を吸収していない吸水性樹脂粒状物と、内部に前記吸水性樹脂粒状物を複数閉じ込めた柔軟性を有する通気性の袋体とを備え、この袋体を空き部屋のトイレのトラップ水（溜まり水）に滴下し、前記滴下前又は前記滴下後、前記トラップ水（溜まり水）に消臭剤を落とし、滴下された柔軟性を有する前記袋体内の液体を吸収していない前記吸水性樹脂粒状物は前記トラップ水（溜まり水）及び前記消臭剤を吸収して前記トイレの排水口を閉じるようにするため、トイレのトラップ水（溜まり水）及び消臭剤は、液体を吸収していない吸水性樹脂粒状物に吸収され、蒸発しにくくなると共に、空き部屋のトイレのトラップ水（溜まり水）を吸収した吸水性樹脂粒状物により前記トイレの排水口を閉じて、空き部屋のトイレからの臭いを防ぐと共に、消臭剤によりトイレ周囲の消臭効果をも発揮させることができる。
【００１５】
また、請求項５記載の空き部屋トイレによれば、液体を吸収していない吸水性樹脂粒状物と、内部に前記吸水性樹脂粒状物を複数閉じ込めた柔軟性を有する通気性の袋体とを備え、この袋体を空き部屋のトイレのトラップ水（溜まり水）に滴下し、滴下された柔軟性を有する前記袋体内の液体を吸収していない前記吸水性樹脂粒状物は前記トラップ水（溜まり水）を吸収して前記トイレの排水口を閉じるようにするため、トイレのトラップ水（溜まり水）は、液体を吸収していない吸水性樹脂粒状物に吸収され、蒸発しにくくなると共に、空き部屋のトイレのトラップ水（溜まり水）を吸収した吸水性樹脂粒状物により前記トイレの排水口を閉じて、空き部屋のトイレからの臭いを防ぐことができる。
【００１６】
また、請求項６記載の部屋の空き部屋トイレによれば、上述した請求項４又は請求項５記載の発明の効果に加え、誤って、トイレの水を流しても、袋体は紐により接続されているため、便器内に保持することができる。
【図面の簡単な説明】
【００１７】
【図１】図１は、本発明の一実施例の空き部屋トイレのトラップ水（溜まり水）に消臭剤を落とし、液体を吸収していない吸水性樹脂粒状物を内在した通気性の袋体を滴下する前の状態を示す概略的断面図である。
【図２】図２は、図１の通気性の袋体が滴下された状態を示す概略的断面図である。
【図３】図３は、図２の通気性の袋体内の吸水性樹脂粒状物がトラップ水（溜まり水）を吸収してトイレの排水口を閉じた状態を示す概略的断面図である。
【図４】図４は、図１と異なる他の実施例を示すもので、液体を吸収していない吸水性樹脂粒状物を内在した通気性の袋体を滴下する前の状態を示す概略的断面図である。
【発明を実施するための形態】
【００１８】
本発明の一実施例の空き部屋トイレの消臭方法及び空き部屋トイレを図１乃至図３を参照して説明する。
【００１９】
図１に示すＴは空き部屋のトイレで、１は柔軟性を有する通気性の袋体で、袋体１の内部に液体を吸収していない吸水性樹脂粒状物２を複数閉じ込めている。吸水性樹脂粒状物２は、例えば、吸水性ポリマ−である。３は、袋体１に接続される紐である。
【００２０】
４は便器本体、５は便器本体４の開口部を開閉する蓋、６は排水口、７はせき、８は排水路、９は空き部屋のトイレのトラップ水（溜まり水）である。
袋体１は紐３の一端に接続され、紐３の他端（又は、紐３の中途）を便器の蓋５（又は、便器本体４）に接続（接続は、例えば、両面テープ、接着剤等）されている。誤って、トイレの水を流しても、袋体１は紐３により接続されているため、便器内に保持することができる。
【００２１】
袋体１を空き部屋のトイレＴのトラップ水（溜まり水）９に滴下前（又は、前記滴下後、又は、前記滴下と同時）に消臭剤１０をトラップ水（溜まり水）９に落とす（図１及び図２参照）。
そうすると、滴下された柔軟性を有する袋体１内の液体を吸収していない吸水性樹脂粒状物２はトラップ水（溜まり水）９及び消臭剤１０を吸収してトイレＴの排水口を閉じるようにする（図３参照）。
なお、蓋５は、図３のままの開状態にして、消臭剤１０の消臭効果をより広く及ぼすようにしても良いし、また、蓋５を閉じるようにしても良い。
【００２２】
従って、上述した空き部屋トイレ（空き部屋トイレの消臭方法）によれば、液体を吸収していない吸水性樹脂粒状物２と、内部に吸水性樹脂粒状物２を複数閉じ込めた柔軟性を有する通気性の袋体１とを備え、この袋体１を空き部屋のトイレＴのトラップ水（溜まり水）９に滴下し、前記滴下前（又は前記滴下後又は前記滴下と同時）に、トラップ水（溜まり水）９に消臭剤１０を落とし、滴下された柔軟性を有する袋体１内の液体を吸収していない吸水性樹脂粒状物２はトラップ水（溜まり水）９及び消臭剤１０を吸収してトイレＴの排水口６を閉じるようにするため、トイレＴのトラップ水（溜まり水）９及び消臭剤１０は、吸収していない吸水性樹脂粒状物２に吸収され、蒸発しにくくなると共に、空き部屋のトイレＴのトラップ水（溜まり水）９を吸収した吸水性樹脂粒状物２によりトイレＴの排水口６を閉じて、空き部屋のトイレＴからの臭いを防ぐと共に、消臭剤１０によりトイレの消臭効果をも発揮させることができる。
【００２３】
上記実施例においては、袋体１を空き部屋のトイレＴのトラップ水（溜まり水）９に滴下するが、望ましくは、図４に示すように、前記滴下後（又は、前記滴下前、又は、前記滴下と同時）に、トラップ水（溜まり水）９に消臭剤１０を落とし、滴下された柔軟性を有する袋体１内の液体を吸収していない吸水性樹脂粒状物２はトラップ水（溜まり水）９及び消臭剤１０を吸収してトイレＴの排水口６を閉じるようにしたが、場合により、消臭剤１０を使用しなくても良い。
消臭剤１０を使用しない場合の空き部屋トイレ（空き部屋トイレの消臭方法）にあっては、液体を吸収していない吸水性樹脂粒状物２と、内部に吸水性樹脂粒状物２を複数閉じ込めた柔軟性を有する通気性の袋体１とを備え、この袋体１を空き部屋のトイレＴのトラップ水（溜まり水）９に滴下し、滴下された柔軟性を有する袋体１内の液体を吸収していない吸水性樹脂粒状物２はトラップ水（溜まり水）９を吸収してトイレＴの排水口６を閉じるようにするため、トイレＴのトラップ水（溜まり水）９は、液体を吸収していない吸水性樹脂粒状物２に吸収され、蒸発しにくくなると共に、空き部屋のトイレＴのトラップ水（溜まり水）９を吸収した吸水性樹脂粒状物２’により、例えば、図３に示すように、トイレＴの排水口６を閉じて、空き部屋のトイレＴからの臭いを防ぐことができる。
【符号の説明】
【００２４】
Ｔ      空き部屋のトイレ
１      袋体
２      液体を吸収していない吸水性樹脂粒状物
２’    トラップ水（溜まり水）を吸収した吸水性樹脂粒状物
３      紐
４      便器本体
５      蓋
６      排水口
７      せき
８      排水路
９      トラップ水（溜まり水）
１０      消臭剤
【図１】
2020178951.tif 000003
【図２】
2020178951.tif 000004
【図３】
2020178951.tif 000005
【図４】
2020178951.tif 000006